【手続補正書】
【提出日】平成22年12月10日(2010.12.10)
【手続補正１】
【補正対象書類名】明細書
【補正対象項目名】００２８
【補正方法】変更
【補正の内容】
【００２８】
1つまたはそれ以上の増粘剤の添加により、好都合にも、フォトアドレス可能なポリマーの濃度とは無関係に、ポリマー、その分散物、特にポリマー溶液の粘度の調節が可能になる。このようにして、フィルム形成に有益な影響を与えることができ、実質的により均質な、フォトアドレス可能なポリマーのフィルムを得ることができる。
【手続補正２】
【補正対象書類名】明細書
【補正対象項目名】００２９
【補正方法】変更
【補正の内容】
【００２９】
本発明の特定の実施形態において、ポリマーが増粘剤として使用される。これは、例えば高分子量ポリマーの添加によって、より高い粘性の溶液を調製することを可能にするが、しかし、その溶液は低濃度の添加剤しか含有しない。これは、フィルムを製造するために高粘度が方法によって必要とされるが、同時に、フィルムに残留する添加剤の濃度を低く維持すべき場合に、有利である。
【手続補正３】
【補正対象書類名】明細書
【補正対象項目名】００３３
【補正方法】削除
【補正の内容】
【手続補正４】
【補正対象書類名】明細書
【補正対象項目名】００３４
【補正方法】変更
【補正の内容】
【００３４】
本発明の他の実施形態において、可塑剤を、フォトアドレス可能なポリマー、または少なくとも1つのフォトアドレス可能なポリマーの溶液または分散液に添加する。本発明に好適な可塑剤は、例えば、トリメリテート、脂肪族ジカルボン酸エステル、ポリエステル、燐酸酸エステル、脂肪酸エステル、ヒドロキシカルボン酸エステル、エポキシド、スルホキシド、スルホン、フタル酸エステルおよびその誘導体、シクロヘキサンポリカルボン酸およびその誘導体、ポリビニルアルコール、ポリエーテルおよびポリエーテルポリオールであるが、これらに限定されない。可塑剤の添加には、得られるフィルムが実質的に向上した機械的特性を有するという利点がある。即ち、このフィルムは、実質的により高い弾性およびより低い脆性を有し、より少ない引裂きを示す。さらに、光学記憶層の引張り強度も、機械荷重下でさえ実質的に向上する。従って、光学記憶層の耐久性が実質的に延びる。
【手続補正５】
【補正対象書類名】明細書
【補正対象項目名】００４２
【補正方法】変更
【補正の内容】
【００４２】
好ましくは、支持材は、シートの形態である。支持物および支持材は、以下では基材とも称される。本発明によれば、基材の形、大きさまたは厚さは、好都合にも、限定されない。フォトアドレス可能なポリマーを、基材層、特に支持シートに、あらゆる既知の方法によって、例えば、溶液（本発明によれば、少なくとも1つの添加剤を含有する）から適用できる。該方法は、例えば、スピン塗布、吹付け、ナイフ塗布、浸漬コーティングまたは流延であってよい。溶液は、実質的に向上した基材湿潤性および基材上での向上したフィルム形成性を示す。
【手続補正６】
【補正対象書類名】明細書
【補正対象項目名】００４５
【補正方法】変更
【補正の内容】
【００４５】
本発明の他の実施形態において、フォトアドレス可能なポリマーで被覆する前に、基材または支持シートに、反射層を付加的に供給することができる。この反射層は、光学フィルムに記憶された情報を読み出す特定の方法を向上させることができ、または選択的読み出しを可能にする。そのような実施形態において、反射層は金属層であってよい。例えば、アルミニウム、チタン、金、クロム、ビスマスおよび銀のような金属、または合金を、この反射層に使用しうる。本発明によれば、アルミニウム、クロムおよび銀が好ましい。
【手続補正７】
【補正対象書類名】明細書
【補正対象項目名】００６０
【補正方法】変更
【補正の内容】
【００６０】
本発明の特に好ましい態様において、線光への暴露によって、2つの画像を光学記憶層に導入でき、2画像の暴露中の偏光方向は相互に45°回転される。この場合、光学記憶層内のいかなる画像も肉眼では見えない。2つの画像を有する光学セキュリティ要素が直線偏光子で照射され、反射光が同じ偏光子によって観測される場合、画像の1つを、偏光子が優先軸（ポリマー中のこの画像の暴露時に生じる）に対して45°で配置された場合に、検出することができる。それぞれの他の画像の場合の優先軸は、偏光子の偏光方向に平行または垂直でありうる。その結果、それぞれの他の画像は不可視のままでありうる。偏光子を45°回転した時に、先に見えていた画像が消え、他の画像が現れる。このようにして、好都合にも、2つの画像を連続して可視化できる。画像は、それぞれの他の画像の読み出しの間に相互に干渉しない。
【手続補正８】
【補正対象書類名】明細書
【補正対象項目名】００７６
【補正方法】変更
【補正の内容】
【００７６】
PAP添加剤溶液の調製
PAP 20gを添加剤1gと共に容器に入れ、シクロペンタノン79gを添加する。混合物を70〜80℃に攪拌しながら加熱し、数分間攪拌する（環流下）。これによってオレンジ色ないし濃赤色の溶液が得られ、これは1wt%の添加剤比率を有する20wt%濃度のPAP溶液である。
【手続補正９】
【補正対象書類名】明細書
【補正対象項目名】００７７
【補正方法】変更
【補正の内容】
【００７７】
表1（A、B）に示されているPAP溶液を、同様に調製する。表1（A、B）は、添加剤および添加剤量を変化させた10および20wt%PAP溶液の粘度も示している。
【手続補正１０】
【補正対象書類名】明細書
【補正対象項目名】００８４
【補正方法】変更
【補正の内容】
【００８４】
プロジェクター（Sharp PG-MB65X XGA, DLP technology, 3000 Ansi Lumen）および下流集光レンズ（downstream collecting lens）（焦点距離100mm）を使用して、黒/白画像を、アルミニウム層が下に配置された光学記憶層に投影する。直線偏光子が、収集レンズと光学記憶層の間に存在する。フォトアドレス可能なポリマー層上の画像は、直径約2cmの大きさを有する。プロジェクターが生じる画像は、イメージフィリング（image-filling）であり、即ち、プロジェクターの1024x768画素のイメージフィールド（image field）が最大に使用され、約25%の輝度を有する。暴露は、1分間行う。それによって、肉眼で見えない光学セキュリティ要素が得られる。直線偏光子を、セキュリティ要素上に配置し、ポリマーにおける優先光学軸に対して45°回転させた場合に、暴露によって導入された画像が、偏光子を通る反射ビームにおいて明るいバックグラウンドに対して暗く見える。
【手続補正１１】
【補正対象書類名】特許請求の範囲
【補正対象項目名】全文
【補正方法】変更
【補正の内容】
【特許請求の範囲】
【請求項１】
少なくとも1つのフォトアドレス可能なポリマーおよび少なくとも1つの添加剤の混合物から製造されることを特徴とする光学記憶層。
【請求項２】
請求項1に記載の光学記憶層が、基材に適用されていることを特徴とする光学記憶媒体。
【請求項３】
請求項1に記載の光学記憶層を基材に適用することを特徴とする、請求項2に記載の光学記憶媒体の製造法。
【請求項４】
アナログおよびデジタルデータおよび情報の記録における、請求項1に記載の光学記憶層の使用。
【請求項５】
少なくとも1つのフォトアドレス可能なポリマーおよび少なくとも1つの添加剤の混合物から製造される光学記憶層を有する光学セキュリティ要素。
【請求項６】
パス、身分証明書、チケットまたはラベル用の、特に製品保護用の、偽造保護としての、請求項5に記載の光学セキュリティ要素の使用。